(57)【要約】【課題】長期間に亙って連続運転性を向上させることができる電気集塵装置の電気集塵方法、電気集塵装置及びボイラシステムを提供する。【解決手段】ボイラ１１に供給する硫黄分量組成が異なる燃料２３Ａ、２３Ｂを供給する燃料供給部２２Ａ、２２Ｂと、燃料組成の異なる燃料を切り替える燃料切替部２４と、ボイラ１１からの排ガス中の窒素酸化物を除去する脱硝装置１２と、窒素酸化物除去後のガス中の熱を回収する空気予熱器１３と、熱回収後のガス中にアンモニウム１４を添加しつつ煤塵を除去する電気集塵器１５及び煤塵濃度計測部２０を有する電気集塵装置と、除塵後のガス中の硫黄酸化物を除去する脱硫装置１７と、前記煤塵濃度計測部２０の計測の結果、所定の煤塵量閾値となった際、ボイラに供給する燃料組成中の硫黄分量が現在使用している燃料（主燃料）２３Ａよりも低い燃料（低Ｓ分燃料）２３Ｂに切替える制御を実行する制御装置２１とを具備する。【選択図】図１
2012052721.tif 000002
【特許請求の範囲】
【請求項１】
ボイラから排出される排ガス中の煤塵を電気集塵器で除去する電気集塵装置の電気集塵方法であって、
前記電気集塵器の出口側の煤塵濃度を計測し、
前記煤塵濃度の計測の結果、所定の煤塵量閾値となった際、ボイラに供給する燃料組成中の硫黄分量が現在使用している燃料よりも相対的に低い燃料（低Ｓ分燃料）に切替え、電極に付着する煤塵の付着量を低減しつつ集塵を行うことを特徴とする電気集塵装置の電気集塵方法。
【請求項２】
ボイラから排出される排ガス中の煤塵を電気集塵器で除去する電気集塵装置の電気集塵方法であって、
電気集塵器に対する荷電量を、運転開始当初は通常荷電量よりも荷電割合が低い抑制荷電で運転し、
前記電気集塵器の出口側の煤塵濃度を計測し、
前記煤塵濃度の計測の結果、所定の煤塵量閾値となった際、前記荷電量を通常荷電割合側に上昇させて運転して、集塵を継続し、
その後の前記煤塵濃度の計測の結果、所定の煤塵量閾値となった際、ボイラに供給する燃料組成中の硫黄分量が現在使用している燃料よりも相対的に低い燃料（低Ｓ分燃料）に切替え、電極に付着する煤塵の付着量を低減しつつ集塵を行うことを特徴とする電気集塵装置の電気集塵方法。
【請求項３】
ボイラから排出される排ガス中の煤塵を電気集塵器で除去する電気集塵装置の電気集塵方法であって、
電気集塵器に対する荷電量を、運転開始当初は通常荷電量よりも荷電割合が低い抑制荷電で運転し、
その後の前記煤塵濃度の計測の結果、所定の煤塵量閾値となった際、ボイラに供給する燃料組成中の硫黄分量が現在使用している燃料よりも相対的に低い燃料（低Ｓ分燃料）に切替え、電極に付着する煤塵の付着量を低減しつつ集塵を継続し、
その後の前記煤塵濃度の計測の結果、所定の煤塵量閾値となった際、前記荷電量を通常荷電割合側に上昇させて運転して、集塵を継続することを特徴とする電気集塵装置の電気集塵方法。
【請求項４】
請求項１乃至３のいずれか一つにおいて、
前記低Ｓ分燃料を所定時間供給した後、以前の硫黄含有量が高い燃料に切替えることを特徴とする電気集塵装置の電気集塵方法。
【請求項５】
請求項１乃至４のいずれか一つにおいて、
前記低Ｓ分燃料は、燃料中の硫黄分が６％以下であることを特徴とする電気集塵装置の電気集塵方法。
【請求項６】
請求項１乃至５のいずれか一つにおいて、
燃料の切替運転を複数回繰り返すことを特徴とする電気集塵装置の電気集塵方法。
【請求項７】
ボイラから排出される排ガス中の煤塵を除去する電気集塵器と、
前記電気集塵器の出口側の煤塵濃度を計測する煤塵濃度計測装部と、
前記煤塵濃度計測部の計測の結果、所定の煤塵量閾値となった際、ボイラに供給する燃料組成が現在使用している燃料よりも硫黄分が相対的に低い燃料（低Ｓ分燃料）に切替える指示をする制御装置とを具備してなることを特徴とする電気集塵装置。
【請求項８】
請求項７において、
さらに、前記制御装置は、電気集塵器に対する荷電量を、運転開始当初は通常荷電量よりも荷電割合が低い抑制荷電で運転する制御をすると共に、
その後の煤塵濃度計測部の計測の結果、所定の煤塵量閾値となった際、前記荷電量を通常荷電割合側に上昇させて運転することを特徴とする電気集塵装置。
【請求項９】
請求項７又は８において、
低Ｓ分燃料は、燃料中の硫黄分が６％以下であることを特徴とする電気集塵装置。
【請求項１０】
ボイラと、
該ボイラに供給する硫黄分量組成が異なる燃料を供給する燃料供給部と、
燃料組成の異なる燃料を切り替える燃料切替部と、
ボイラからの排ガス中の窒素酸化物を除去する脱硝装置と、
窒素酸化物除去後のガス中の熱を回収する空気予熱器と、
熱回収後のガス中にアンモニウムを添加しつつ煤塵を除去する請求項７乃至９のいずれか一つの電気集塵装置と、
除塵後のガス中の硫黄酸化物を除去する脱硫装置と、
脱硫後のガスを外部に排出する煙突とを具備することを特徴とするボイラシステム。
【発明の詳細な説明】
【技術分野】
【０００１】
本発明は、粗悪燃料を用いたボイラ燃焼においても長期間に亙って連続運転ができる電気集塵装置の電気集塵方法、電気集塵装置及びボイラシステムに関する。
【背景技術】
【０００２】
高バナジウム、高硫黄分含有燃料等の粗悪燃料を燃焼するボイラでは、排ガス中のＳＯ3の増加に伴い、付着性の高い酸性硫安（(ＮＨ3)ＨＳＯ4）を含む飛灰が電気集塵装置の電極に堆積していき、電気集塵装置の運転を阻害する。
図７は、従来における電極に飛灰が付着する様子を示す模式図である。図８は、電気集塵装置の運転期間（月）と、出口煤塵量との関係図である。
ここで、電気集塵装置では、定期的に槌打装置により、電極に付着した堆積物を払い落としているが、電気集塵装置自体の保護のため、槌打装置起動のインターバルは極端に短い間隔にはできず、付着性の高い飛灰が多い場合には、図７に示すように徐々に堆積が進んでいく。そして、図８に示すように、出口煤塵量の所定の基準値（例えば２０ｍｇ／Ｎｍ3）を超えることとなる。この結果、いずれはプラントを停止し、集塵装置内部清掃を行なう必要がある。
【０００３】
また、電気集塵装置の運転の延命化のために、運転初期では電気集塵装置の荷電を低く設定するいわゆる抑制荷電運転方法を順次実施し、運転当初においては、必要以上の集塵を行なわないようにしている。
【０００４】
図９は、従来の抑制荷電運転を実施した電気集塵装置の運転期間（月）と、出口煤塵量との関係図である。
この抑制荷電運転方法とは、当初は定格（例えば９００ｍＡ）の１／３荷電（３００ｍＡ）で運転し、出口煤塵量の所定の基準値（例えば２０ｍｇ／Ｎｍ3）となったら２／３荷電（６００ｍＡ）で運転し、さらに出口煤塵量の所定の基準値（例えば２０ｍｇ／Ｎｍ3）になったら、最後に１／１荷電（９００ｍＡ）で運転する方法である。
そして、灰付着による性能低下とともに、出口煤塵量は増加するのに従い、図８に示すように、徐々に荷電を高めていき出口煤塵量の基準値（例えば２０ｍｇ／Ｎｍ3）を遵守するようにしている（特許文献１、２）。
【先行技術文献】
【特許文献】
【０００５】
【特許文献１】特開２００１−３８２４５号公報
【特許文献２】特開２００９−１９２１００号公報
【発明の概要】
【発明が解決しようとする課題】
【０００６】
しかしながら、荷電の抑制運転を行うにしても上限があり、さらに性能低下が進行した場合、いずれはプラントを停止し、集塵装置内部清掃を行なう必要があり、長期運転を阻害する、という問題がある。
【０００７】
本発明は、前記問題に鑑み、抑制荷電運転以外に、電気集塵器の性能を回復することができ、長期間に亙って連続運転性を向上させることができる電気集塵装置の電気集塵方法、電気集塵装置及びボイラシステムを提供することを課題とする。
【課題を解決するための手段】
【０００８】
上述した課題を解決するための本発明の第１の発明は、ボイラから排出される排ガス中の煤塵を電気集塵器で除去する電気集塵装置の電気集塵方法であって、前記電気集塵器の出口側の煤塵濃度を計測し、前記煤塵濃度の計測の結果、所定の煤塵量閾値となった際、ボイラに供給する燃料組成中の硫黄分量が現在使用している燃料よりも相対的に低い燃料（低Ｓ分燃料）に切替え、電極に付着する煤塵の付着量を低減しつつ集塵を行うことを特徴とする電気集塵装置の電気集塵方法にある。
【０００９】
第２の発明は、ボイラから排出される排ガス中の煤塵を電気集塵器で除去する電気集塵装置の電気集塵方法であって、電気集塵器に対する荷電量を、運転開始当初は通常荷電量よりも荷電割合が低い抑制荷電で運転し、前記電気集塵器の出口側の煤塵濃度を計測し、前記煤塵濃度の計測の結果、所定の煤塵量閾値となった際、前記荷電量を通常荷電割合側に上昇させて運転して、集塵を継続し、その後の前記煤塵濃度の計測の結果、所定の煤塵量閾値となった際、ボイラに供給する燃料組成中の硫黄分量が現在使用している燃料よりも相対的に低い燃料（低Ｓ分燃料）に切替え、電極に付着する煤塵の付着量を低減しつつ集塵を行うことを特徴とする電気集塵装置の電気集塵方法にある。
【００１０】
第３の発明は、ボイラから排出される排ガス中の煤塵を電気集塵器で除去する電気集塵装置の電気集塵方法であって、電気集塵器に対する荷電量を、運転開始当初は通常荷電量よりも荷電割合が低い抑制荷電で運転し、その後の前記煤塵濃度の計測の結果、所定の煤塵量閾値となった際、ボイラに供給する燃料組成中の硫黄分量が現在使用している燃料よりも相対的に低い燃料（低Ｓ分燃料）に切替え、電極に付着する煤塵の付着量を低減しつつ集塵を継続し、その後の前記煤塵濃度の計測の結果、所定の煤塵量閾値となった際、前記荷電量を通常荷電割合側に上昇させて運転して、集塵を継続することを特徴とする電気集塵装置の電気集塵方法にある。
【００１１】
第４の発明は、第１乃至３のいずれか一つの発明において、前記低Ｓ分燃料を所定時間供給した後、以前の硫黄含有量が高い燃料に切替えることを特徴とする電気集塵装置の電気集塵方法にある。
【００１２】
第５の発明は、第１乃至４のいずれか一つの発明において、前記低Ｓ分燃料は、燃料中の硫黄分が６％以下であることを特徴とする電気集塵装置の電気集塵方法にある。
【００１３】
第６の発明は、第１乃至５のいずれか一つの発明において、燃料の切替運転を複数回繰り返すことを特徴とする電気集塵装置の電気集塵方法にある。
【００１４】
第７の発明は、ボイラから排出される排ガス中の煤塵を除去する電気集塵器と、前記電気集塵器の出口側の煤塵濃度を計測する煤塵濃度計測装部と、前記煤塵濃度計測部の計測の結果、所定の煤塵量閾値となった際、ボイラに供給する燃料組成が現在使用している燃料よりも硫黄分が相対的に低い燃料（低Ｓ分燃料）に切替える指示をする制御装置とを具備してなることを特徴とする電気集塵装置にある。
【００１５】
第８の発明は、第７の発明において、さらに、前記制御装置は、電気集塵器に対する荷電量を、運転開始当初は通常荷電量よりも荷電割合が低い抑制荷電で運転する制御をすると共に、その後の煤塵濃度計測部の計測の結果、所定の煤塵量閾値となった際、前記荷電量を通常荷電割合側に上昇させて運転することを特徴とする電気集塵装置にある。
【００１６】
第９の発明は、第７又は８の発明において、低Ｓ分燃料は、燃料中の硫黄分が６％以下であることを特徴とする電気集塵装置にある。
【００１７】
第１０の発明は、ボイラと、該ボイラに供給する硫黄分量組成が異なる燃料を供給する燃料供給部と、燃料組成の異なる燃料を切り替える燃料切替部と、ボイラからの排ガス中の窒素酸化物を除去する脱硝装置と、窒素酸化物除去後のガス中の熱を回収する空気予熱器と、熱回収後のガス中にアンモニウムを添加しつつ煤塵を除去する請求項７乃至９のいずれか一つの電気集塵装置と、除塵後のガス中の硫黄酸化物を除去する脱硫装置と、脱硫後のガスを外部に排出する煙突とを具備することを特徴とするボイラシステムにある。
【発明の効果】
【００１８】
本発明によれば、電気集塵器での性能低下が見られてきたら一旦供給燃料を、現在使用している燃料（主燃料）よりも相対的に低い燃料（低Ｓ分燃料）に切替え、酸性硫安（(ＮＨ3)ＨＳＯ4）の発生を低下させることで、電気集塵器の性能回復を図り、長期の安定運用を行なうようにしている。
【図面の簡単な説明】
【００１９】
【図１】図１は、本実施例に係るボイラシステムの概略図である。
【図２】図２は、電極に飛灰が付着する様子を示す模式図である。
【図３】図３は実施例１に係る電気集塵装置の運転期間と、出口煤塵量との関係図である。
【図４】図４は、実施例２の運転方法に係る電気集塵装置の運転期間と、出口煤塵量との関係図である。
【図５】図５は、実施例３の運転方法に係る電気集塵装置の運転期間と、出口煤塵量との関係図である。
【図６】図６は、実施例４の運転方法に係る電気集塵装置の運転期間と、出口煤塵量との関係図である。
【図７】図７は、従来における電極に飛灰が付着する様子を示す模式図である。
【図８】図８は、電気集塵装置の運転期間（月）と、出口煤塵量との関係図である。
【図９】図９は、従来の抑制荷電運転を実施した電気集塵装置の運転期間（月）と、出口煤塵量との関係図である。
【発明を実施するための形態】
【００２０】
以下、この発明につき図面を参照しつつ詳細に説明する。なお、この実施例によりこの発明が限定されるものではない。また、下記実施例における構成要素には、当業者が容易に想定できるもの、あるいは実質的に同一のものが含まれる。
【実施例１】
【００２１】
本発明による実施例１に係るボイラシステムについて、図面を参照して説明する。図１は、本実施例に係るボイラシステムの概略図である。図２は、電極に飛灰が付着する様子を示す模式図である。図３は実施例１に係る電気集塵装置の運転期間と、出口煤塵量との関係図である。
図１に示すように、本実施例に係るボイラシステム１０は、ボイラ１１と、該ボイラ１１に供給する硫黄分量組成が異なる燃料２３Ａ、２３Ｂを供給する燃料供給部２２Ａ、２２Ｂと、燃料組成の異なる燃料を切り替える燃料切替部２４と、ボイラ１１からの排ガス中の窒素酸化物を除去する脱硝装置１２と、窒素酸化物除去後のガス中の熱を回収する空気予熱器１３と、熱回収後のガス中にアンモニウム１４を添加しつつ煤塵を除去する電気集塵器１５及び煤塵濃度計測部２０を有する電気集塵装置と、除塵後のガス中の硫黄酸化物を除去する脱硫装置１７と、脱硫後のガスを外部に排出する煙突１８と、前記煤塵濃度計測部２０の計測の結果、所定の煤塵量閾値となった際（例えば２０ｍｇ／Ｎｍ3）、ボイラ１１に供給する燃料組成中の硫黄分量が現在使用している燃料（主燃料）２３Ａよりも相対的に低い燃料（以下、「低Ｓ分燃料」ともいう。）２３Ｂに切替える制御を実行する制御装置２１とを具備するものである。
【００２２】
本ボイラシステム１０においては、ボイラ１１からの排ガス中の煤塵を除去する前記電気集塵器１５の出口側の煤塵濃度を煤塵濃度計測部２０で計測し、前記煤塵濃度計測部２０の計測の結果、所定の煤塵量閾値となった際（例えば所定の煤塵量閾値＝２０ｍｇ／Ｎｍ3）、ボイラ１１に供給する燃料組成中の硫黄分量が現在使用している燃料（主燃料）２３Ａよりも相対的に低い燃料（低Ｓ分燃料）２３Ｂに切替え、電極に付着する煤塵の付着量を低減しつつ集塵を行うようにしている。
【００２３】
Ｓ分濃度が高い主燃料２３Ａから低Ｓ分燃料２３Ｂへの切替は、例えば図３に示すように、所定の煤塵量閾値となった際（例えば２０ｍｇ／Ｎｍ3）、制御装置２１からの信号により燃料切替部２４の流路を切り替えることで実施される。
【００２４】
このように、電気集塵器１５での性能低下が見られてきたら一旦供給燃料を主燃料２３Ａから低Ｓ分燃料２３Ｂに切替え、酸性硫安（(ＮＨ3)ＨＳＯ4）の発生を低下させることで、電気集塵器１５の性能回復を図り、長期の安定運用を行なうようにしている。
【００２５】
すなわち、図２に示すように、電気集塵器１５の電極１５ａへ付着性の強い酸性硫安が堆積し、定期的に実施する槌打により付着物である飛灰２５を剥離させるが、長期運転に伴い、剥離できなかった付着物が徐々に堆積し成長する。
ここで、本実施例のように、一旦Ｓ分含有量が高い主燃料２３Ａから低Ｓ分燃料２３Ｂを供給することにより付着性の強い灰成分が減少するため、付着量と剥離量バランスが変わり（剥離量が相対的に多くなり）、ある一定期間運転を続けることにより電気集塵器１５の電極への堆積物を低減し電機集塵器での性能が回復する。
【００２６】
ここで、低Ｓ分燃料の供給期間は、図３に示すように、出口煤塵量が低下し、ほぼ一定（本実施例では１０ｍｇ／ｍＮ3）の煤塵量となるまで、低Ｓ分燃料２３Ｂの供給を行う。これは、低Ｓ分燃料の硫黄分が含有しているので、酸性硫安（(ＮＨ3)ＨＳＯ4）の発生があり、ある程度で一定となり、それ以上の効果が発揮されないからである。
【００２７】
本発明で、低Ｓ分燃料とは、燃料中の硫黄分が６％（より好ましくは３〜４％）以下である燃料をいう。これは硫黄分が６％を超えると酸性硫安（(ＮＨ3)ＨＳＯ4）の発生が多くなり、灰付着の影響が顕著となるからである。
【００２８】
この結果、電気集塵器１５の連続稼働に伴い、電気集塵器電極への灰付着が進み、連続運転を阻害するが、一旦低Ｓ分の燃料に切り替えることで、電気集塵器の性能が回復する結果、連続運転性を向上させることができる。
【実施例２】
【００２９】
本発明による実施例２に係る運転方法について説明する。なお、ボイラシステム１０の構成は同様である。
図４は、実施例２の運転方法に係る電気集塵装置の運転期間と、出口煤塵量との関係図である。
図４に示すように、実施例１と同様に、所定の煤塵量閾値となった際（例えば所定の煤塵量閾値＝２０ｍｇ／Ｎｍ3）、ボイラ１１に供給する燃料組成中の硫黄分量が現在使用している燃料（主燃料）２３Ａよりも低い燃料（低Ｓ分燃料）２３Ｂに切替え、電極に付着する煤塵の付着量を低減しつつ集塵を行う運転を実施し、再度（本実施例では１４ヵ月後）、所定の煤塵量閾値となった際（例えば２０ｍｇ／Ｎｍ3）、制御装置２１からの信号により燃料切替部２４の流路を切り替え、低Ｓ分燃料２３Ｂにより、電極に付着する煤塵の付着量を低減しつつ集塵を行う運転を実施するようにしている。
【００３０】
この結果、一回目の切り替えよりは出口煤塵量は高いものの、電極に付着する煤塵の付着量を低減しつつ集塵を行うことができる。
この操作を複数回繰り返し、定期点検まで、プラントを停止せずに、電気集塵器の運転を継続するようにしている。
【実施例３】
【００３１】
本発明による実施例３に係る運転方法について説明する。なお、ボイラシステム１０の構成は同様である。
図５は、実施例３の運転方法に係る電気集塵装置の運転期間と、出口煤塵量との関係図である。
図５に示すように、電気集塵器に対する荷電量を、運転開始当初は通常荷電量よりも荷電割合が低い抑制荷電（例えば低格の１／３の３００ｍＡ）で運転し、前記電気集塵器１４の出口側の煤塵濃度を煤塵濃度計測部２０で計測し、前記煤塵濃度の計測の結果、所定の煤塵量閾値となった際（例えば２０ｍｇ／Ｎｍ3）、前記荷電量を通常荷電割合側に上昇（例えば３００ｍＡを２／３荷電の６００ｍＡに上昇）させて運転して、集塵を継続するようにしている。
【００３２】
その後の前記煤塵濃度の計測の結果、所定の煤塵量閾値となった際（例えば２０ｍｇ／Ｎｍ3）、ボイラに供給する燃料組成中の硫黄分量が現在使用している主燃料２３Ａよりも低い燃料（低Ｓ分燃料）２３Ｂに切替え、電極に付着する煤塵の付着量を低減しつつ集塵を行うようにしている。
【００３３】
本実施例では、低Ｓ分燃料の切り替え運転を実施した後、所定の煤塵量閾値となった際（例えば２０ｍｇ／Ｎｍ3）、前記荷電量を通常荷電割合側に上昇（例えば６００ｍＡを１／１荷電の９００ｍＡに上昇）させて運転して集塵を行うようにしている。
なお、抑制荷電運転の代わりに、再度低Ｓ分燃料の切り替え運転を実施するようにしてもよい。
【実施例４】
【００３４】
本発明による実施例４に係る運転方法について説明する。なお、ボイラシステム１０の構成は同様である。
図６は、実施例４の運転方法に係る電気集塵装置の運転期間と、出口煤塵量との関係図である。
図６に示すように、実施例１と同様に、一度低Ｓ分燃料２３Ｂを用いて、運転を実施し、再度所定の煤塵量閾値となった際（例えば２０ｍｇ／Ｎｍ3）、制御装置２１からの信号により燃料切替部２４の流路を切り替えるようにしている。このときに運転は例えば１／３荷電（３００ｍＡ）で集塵している。
【００３５】
次に、前記電気集塵器１５の出口側の煤塵濃度を煤塵濃度計測部２０で計測し、前記煤塵濃度の計測の結果、所定の煤塵量閾値となった際（例えば２０ｍｇ／Ｎｍ3）、前記荷電量を通常荷電割合側に上昇（例えば３００ｍＡを２／３荷電の６００ｍＡに上昇）させて運転して、集塵を継続し、その後の前記煤塵濃度の計測の結果、所定の煤塵量閾値となった際（例えば２０ｍｇ／Ｎｍ3）、ボイラに供給する燃料組成中の硫黄分量が現在使用している燃料よりも低い燃料（低Ｓ分燃料）２３Ｂに切替え、電極に付着する煤塵の付着量を低減しつつ集塵を行うようにしている。
【００３６】
その後、前記電気集塵器１５の出口側の煤塵濃度を煤塵濃度計測部２０で計測し、前記煤塵濃度の計測の結果、所定の煤塵量閾値となった際（例えば２０ｍｇ／Ｎｍ3）、前記荷電量を通常荷電割合側に上昇（例えば３００ｍＡを２／３荷電の６００ｍＡに上昇）させて運転して、集塵を継続するようにしている。
その後の前記煤塵濃度の計測の結果、所定の煤塵量閾値となった際（例えば２０ｍｇ／Ｎｍ3）、ボイラに供給する燃料組成中の硫黄分量が現在使用している燃料よりも低い燃料（低Ｓ分燃料）２３Ｂに切替え、電極に付着する煤塵の付着量を低減しつつ集塵を行うようにしている。
【００３７】
その後、低Ｓ分燃料の切り替え運転を実施した後、所定の煤塵量閾値となった際（例えば２０ｍｇ／Ｎｍ3）、前記荷電量を通常荷電割合側に上昇（例えば６００ｍＡを１／１荷電の９００ｍＡに上昇）させて運転して集塵を行うようにしている。
なお、抑制荷電運転の代わりに、再度低Ｓ分燃料の切り替え運転を実施するようにしてもよい。
【００３８】
以上、実施例と共に説明したように、電気集塵器の連続稼働に伴い、電気集塵器電極への灰付着が進み、連続運転を阻害するが、一旦低Ｓ分の燃料に切り替えることで、電気集塵器の性能が回復することから、低Ｓ分燃料と高Ｓ分燃料を交互に供給することで、連続運転性を向上させることができ、定期点検までプラントを停止せずに連続操業することが可能となる。
【産業上の利用可能性】
【００３９】
以上のように、本発明に係る電気集塵装置の電気集塵方法、電気集塵装置及びボイラシステムによれば、粗悪燃料を用いたボイラ燃焼においても長期間に亙って連続運転ができる。
【符号の説明】
【００４０】
１０  ボイラシステム
１１  ボイラ
１５  電気集塵器
２０  煤塵濃度計測部
２１  制御装置
２３Ａ  主燃料
２３Ｂ  低Ｓ分燃料
２４  燃料切替部
【図１】
2012052721.tif 000003
【図２】
2012052721.tif 000004
【図３】
2012052721.tif 000005
【図４】
2012052721.tif 000006
【図５】
2012052721.tif 000007
【図６】
2012052721.tif 000008
【図７】
2012052721.tif 000009
【図８】
2012052721.tif 000010
【図９】
2012052721.tif 000011